(57)【要約】【課題】従来、システム配管の断熱性や保温性を維持するための配管被覆チューブは、発泡倍率３０倍の発泡ポリエチレンを筒状に形成して構成してきたが、温度を維持するために配管内を回流する通水を常にボイラーで加熱する必要があり、ボイラー駆動時に発生する二酸化炭素量の規制に対応できない問題がある。【解決手段】チューブ本体の断熱発泡ポリエチレン１の発泡倍率を３５倍から５０倍程度とした疎密構造として構造セル内に従来より多量の空気を含有させて断熱性や保温性を飛躍的に高め、配管被覆チューブの外表を被覆する樹脂皮膜ａの厚さを１５０ミクロンから１９０ミクロンと厚くして強度を高めた。【選択図】図１
2007032660.tif 000002
【特許請求の範囲】
【請求項１】
長手方向に分割断裂加工を行った筒状断熱発泡カバー本体内に、それぞれ断熱発泡部材で被覆した２本のチューブを並列挿入して成る熱源機と放熱管を中継する温水暖房用ペアチューブ
【請求項２】
筒状断熱発泡カバー本体及び２本の各チューブ被覆カバーを、発泡倍率を３５倍から５０倍程度とした架橋ポリエチレン若しくは架橋ポリプロピレンによって構成するようにした請求項１記載の温水暖房用ペアチューブ
【請求項３】
カバー本体及びチューブ被覆カバーの素材となる架橋ポリエチレン若しくは架橋ポリプロピレンの架橋方法を電子線架橋の方法によるようにした請求項２記載の温水暖房用放熱ペアチューブ
【請求項４】
カバー本体及びチューブ被覆カバーの厚みを略同程度の厚みとした請求項１又は請求項２記載又は請求項３の温水暖房用放熱ペアチューブ
【請求項５】
本体カバー及びペアチューブ被覆カバーそれぞれの外表に、エンボス加工を施すようにした請求項１又は請求項２又は請求項３又は請求項４記載の温水暖房用ペアチューブ
【発明の詳細な説明】
【技術分野】
【０００１】
本発明は、新築集合住宅や戸建て住宅などに組み込み設計される温水床暖房や浴室暖房乾燥機等の熱源機と放熱配管に接合されて熱源機と放熱配管を中継する温水暖房用放熱ペアチューブに関するものである。
【背景技術】
【０００２】
温水暖房用放熱管には架橋ポリエチレン管やポリブデン管等の耐熱合成樹脂管が用いられるが、その配管敷設については熱源機から床構造配管部を放熱回流して温度低下した温水を熱源機に回流して再加熱し再び放熱回流するため、熱源機と放熱配管を中継する部分については加熱回流チューブと回帰回流チューブのペアによるペアチューブが用いられる。
【０００３】
温水暖房用ペアチューブは、外表の断熱発泡カバー本体内に加熱回流チューブと回帰回流チューブの２本のチューブを並列挿入して構成されるが、熱源機と放熱配管とには或る程度の距離があるためポリエチレンカバーがチューブの外表を被覆して管材を保護すると共に、放熱配管に接合される際にカバー本体を長手方向に分割断裂させて２本のチューブを各別に取り出し、露出部分にそれぞれ遮熱管を嵌装して放熱配管に嵌合接合している。
【０００４】
従来、床暖房放熱配管等のシステム配管の断熱性や保温性を維持するための配管被覆カバーは、発泡倍率３０倍の発泡ポリエチレンを筒状に形成して構成される配管被覆チューブに２本の耐熱合成樹脂管をそのまま並列挿入して用いてきており、配管被覆カバーに関する先行技術としては特許文献１や特許文献２、或いは本件出願人による２００４−３１８７４７号出願が存在する。
【特許文献１】特開２００４−０６８９２８号公報
【特許文献２】特開２００４−０６８９２９号公報
【発明の開示】
【発明が解決しようとする課題】
【０００５】
熱源機と放熱配管を中継する温水暖房用ペアチューブについては、屋外暴露配管部分がないので、劣化対策の問題はないものの、発泡倍率３０倍の発泡ポリエチレンによって住宅配管の断熱基準０．２４Ｗ／ｍ・ｋ（実験値０．２０Ｗ／ｍ・ｋ）に適合させるためには保温材について８〜１０ｍｍといった厚みが必要となってくる。
【０００６】
しかしながら、熱源機と放熱配管を中継するペアチューブは、床下等の狭隘なスペースに敷設配管しなければならないため、断熱保温材の厚みを薄くして外径をできるだけ細くしなければ、敷設配管施工が困難となる問題がある。
【０００７】
また、ペアチューブは放熱配管に接合される際にカバー本体を長手方向に分割断裂させて２本のチューブを各別に取り出し、露出部分にそれぞれ遮熱管を嵌装して放熱配管に嵌合接合されるため、チューブを各別に取り出すサドル部で外表の断熱発泡カバー本体を長手方向に分割断裂しなければならない。
【０００８】
その際、分割断裂のために用いる刃物によりチューブを傷つける恐れがあるほか、分割断裂作業や取り出したチューブの露出部分にそれぞれ遮熱管を嵌装する作業にも労力と時間を掛けなければならない問題がある。
【課題を解決するための手段】
【０００９】
本発明は上記した課題に対応しようとするものであり、筒状断熱発泡カバー本体の長手方向に、スリットやミシン目等、作業員が手で引っ張るだけで簡単にカバー本体を分割できる分割断裂加工を行い、更に、カバー本体内に挿入される２本のチューブのそれぞれを断熱発泡部材で被覆して遮熱管を嵌装する手間を省くように構成した。
【００１０】
また、筒状断熱発泡カバー本体及び２本の各チューブ被覆カバーを、発泡倍率を３５倍から５０倍程度とした架橋ポリエチレン若しくは架橋ポリプロピレンによって構成して構造セル内に従来より多量の空気を含有させて断熱性を高め、カバーの厚みを薄くしても断熱基準に適合できるようにした。
【００１１】
更に、カバー本体及びチューブ被覆カバーの素材となる架橋ポリエチレン若しくは架橋ポリプロピレンの架橋方法を電子線架橋の方法によるようにし、断熱効果を一層高めてカバー本体及びチューブ被覆カバーの厚みを略同程度の厚みとすることを可能とし、これによりペアチューブの敷設配管施工を効率的に行えるようにした。
【００１２】
また更に、本体カバー及びペアチューブ被覆カバーそれぞれの外表に、エンボス加工を施してカバー表面の滑りをなくして取扱い易い形態としてペアチューブの敷設配管施工を一層効率的に行えるようにした。
【実施例】
【００１３】
以下、本発明の実施例を図面を参照して説明する。１は発泡倍率を３５倍から５０倍程度とした架橋ポリエチレン若しくは架橋ポリプロピレンによって構成した筒状断熱発泡カバー本体で、外表部にエンボス加工１１が施されると共に、長手方向に、スリットやミシン目等、作業員が手で引っ張るだけで簡単にカバー本体を分割できる分割断裂加工１２が施されている。
【００１４】
筒状断熱発泡カバー本体１の挿入孔１３の内部には、加熱回流チューブ２と回帰回流チューブ３が、発泡倍率を３５倍から５０倍程度とした架橋ポリエチレン若しくは架橋ポリプロピレンによって構成した被覆カバー４で被覆されて並列して挿入されている。
【００１５】
また、被覆カバー４の外表面には、細密突起が群生するエンボス加工４１が施されてカバー本体１の断裂分割によりカバーから個別に取り出されたチューブ２、３が取扱い易いように構成されると共に、この被覆カバー４がチューブ２、３を各別に取り出すサドル部４２から放熱配管５のチューブ嵌合接合部までの遮熱管としてチューブ２、３を保護するようになっている。また、必要に応じて信号線５１や発熱線、電気配線（何れも図示しない。）等がチューブ２、３に添わせて挿入孔１３内に付加挿入される。
【００１６】
更に、カバー本体１と被覆カバー４の素材として用いる架橋ポリエチレン若しくは架橋ポリプロピレンの架橋方法は、従来、化学架橋によって行われてきたが、この架橋方法を電子線架橋とすることにより、カバー材の断熱効果が一層高められることが出願人の評価試験によって確認されている。
【００１７】
すなわち、平成１７年３月１４日〜１８日に出願人の福島工場環境測定室において行った保温材評価試験では、ポリエチレン発泡倍率４０倍で内径１０ｍｍのチューブを並列挿入した標準の長径を４７ｍｍ、短径を３８ｍｍ、長さ２０ｍの供試体で測定したところ、化学架橋では放熱係数の平均値が０．２４３６８７１７０Ｗ／ｍ・Ｋであつたが、電子線架橋では０．１８４００４４０５Ｗ／ｍ・Ｋとなり、飛躍的な断熱効果が認められた。  なお、水温８０〜６０度Ｃの水流を１〜０．５ｋｇ／ｍｉｎで通湯させて行い室温は２０〜１０度Ｃである。
【００１８】
図２は、以上のように構成されたペアチューブを温水床暖房に用いた状况を示すもので、ペアチューブは熱源機から建物基礎部を貫通して放熱配管マットのベース断熱材下部にサドル部４２によって固定され、ここからカバー本体１の断裂分割によりカバーから被覆カバー４で被覆された加熱回流チューブ２と回帰回流チューブ３が取り出され、放熱配管マットＡに設けられた加熱放熱管の嵌入接合部に加熱回流チューブ２が、回帰回流管の嵌入接合部に回帰回流チューブ３が接合されるものである。
【００１９】
温水の回流は床暖房コントローラーによって行われ、そこから発せられる信号が２本の信号線によって一方は放熱配管に、他方はカバー本体１の挿入孔１３内に付加挿入された信号線５１に接合されて温水回流と温度調節が行われる。
【００２０】
本発明は以上のように構成したので、住宅配管の断熱基準適合範囲でカバー本体１と被覆カバー４の厚みを飛躍的に薄くしてペアチューブのチューブ径を細くして敷設配管施工を容易にできると共に、カバー本体１の断裂分割作業を手作業で可能にし、加熱、回帰の各チューブに遮熱管を嵌装する手間を省くことができたものである。
【図面の簡単な説明】
【００２１】
【図１】本発明の実施例による筒状断熱発泡カバー本体の挿入孔内にペア            チューブを挿入収納した状態の構造を示す筒状断熱発泡カバー本体の断面図
【図２】同じく、ペアチューブを温水床暖房に用いた状况を示す温水床暖            房配管の全体側面図
【符号の説明】
【００２２】
１      筒状断熱発泡カバー本体
１１    筒状断熱発泡カバー本体外表のエンボス加工部
１２    カバー本体の分割断裂加工部
１３    カバー本体の挿入孔
２      加熱回流チューブ
３      回帰回流チューブ
４      ペア各チューブの被覆カバー
４１    ペア各チューブ被覆カバーのエンボス加工部
４２    ペアチューブを固定し各別に取り出すサドル部
５      温水床暖房の放熱配管
５１    カバー本体の挿入孔に付加挿入された信号線
Ａ      温水床暖房の放熱配管マット
【図１】
2007032660.tif 000003
【図２】
2007032660.tif 000004